(57)【特許請求の範囲】
【請求項１】
ショートアーク型高圧水銀ランプと、この高圧水銀ランプを取り囲む凹面反射鏡と、よりなる光源装置において、
前記高圧水銀ランプは、外周面が円形の一方の封止部が前記凹面反射鏡の首部内部に挿入された状態において当該首部内部に接着剤を充填して保持されるものであり、
前記首部の内部には、貫通孔が形成された接着剤漏洩防止用ワッシャが配置されており、当該貫通孔に前記一方の封止部が挿通され、
前記接着剤漏洩防止用ワッシャの貫通孔の内周縁と、前記一方の封止部の外周面は、２点以上の箇所で、摩擦抵抗を有するように点接触していることを特徴とする光源装置。
【請求項２】
ショートアーク型高圧水銀ランプと、この高圧水銀ランプを取り囲む凹面反射鏡と、凹面反射鏡の首部に取り付けられる絶縁性材料よりなるベースとよりなる光源装置において、
前記高圧水銀ランプは、外周面が円形の一方の封止部が前記ベースの内部挿入された状態において当該ベース内に接着剤を充填して保持されるものであり、
前記ベースの内部には、貫通孔が形成された接着剤漏洩防止用ワッシャが配置されており、当該貫通孔に前記一方の封止部が挿通され、
前記接着剤漏洩防止用ワッシャの貫通孔の内周縁と、前記一方の封止部の外周面は、２点以上の箇所で、摩擦抵抗を有するように点接触していることを特徴とする光源装置。
【発明の詳細な説明】
【技術分野】
【０００１】
本発明は、光源装置に関するものであり、特に、半導体や液晶の製造分野などの露光用光源や映写機のバックライト用光源に適用されるショートアーク型放電ランプを用いた光源装置に関するものである。
【背景技術】
【０００２】
露光用光源や映写機のバックライト用光源に適用される光源装置は、ランプから放射された光を凹面反射鏡で反射し、凹面反射鏡の前方に放射するものである。
このような従来の光源装置を図７を用いて説明する。
この光源装置は、ショートアーク型高圧水銀ランプ１（以下、ランプ１とも呼ぶ）が凹面反射鏡２に組み込まれて構成されており、凹面反射鏡２の中心軸にランプ１の光軸が一致するように配置されている。凹面反射鏡２の頂部には首部２１が設けられ、首部２１の内部にランプ１の封止部１１が挿入され、首部２１の内部に接着剤Ｓを充填して、ランプ１を凹面反射鏡２に固定している。
また、首部２１内であって、封止部１１に挿通された接着剤漏洩防止用ワッシャ５（以下、ワシャ５とも呼ぶ）が設けられている。
【０００３】
このような光源装置では、ランプ１を凹面反射鏡２に固着する場合、ランプ１を凹面反射鏡２に対して最適位置に合わせ、無機接着剤Ｓにて固着を行っている。
通常、ランプ１は水平点灯で使用され、接着剤でランプを凹面反射鏡に固着する際、水平で固着される。しかし、水平で固着させるため、粘性のある接着剤Ｓでは、ワッシャ５がなければ、首部２１と封止部１１の間に接着剤Ｓを均一に充填できずにムラになってしまう問題が発生する。
【０００４】
接着剤Ｓが不均一に充填されていると、振動・衝撃が光源装置に加わると、接着剤Ｓによって首部２１に固定されている封止部１１が折れたりする問題があった。
そのために、首部２１と封止部１１との間に大量の接着剤Ｓを充填し、充填された接着剤Ｓが均一になるようにすると、接着剤Ｓが首部２１から凹面反射鏡２の内部に漏れ出し、ランプ１の発光部に付着する場合がった。
【０００５】
ランプ１の発光部に接着剤Ｓが付着すると、放射光が低下したり、或いは、ランプ点灯中に接着剤Ｓが高温となり、発光管が破損するという問題が発生する。
そのため、従来から接着剤漏洩防止用として封止部１１にワッシャ５を設けていた。
【０００６】
図８は、従来の光源装置の他の例であり、反射鏡の首部にベースが取り付けられた光源装置の説明図である。
図７との違いは、凹面反射鏡２の首部２１にベース４が接着によって取り付けられており、このベース４にランプ１が接着剤Ｓによって固着されている。
【０００７】
そして、ベース４内であって、封止部１１に挿通された接着剤漏洩防止用ワッシャ５が設けられており、ベース４と封止部１１の間に接着剤Ｓが充填されている。
【先行技術文献】
【特許文献】
【０００８】
【特許文献１】特開２００９−５９６３７号公報
【発明の概要】
【発明が解決しようとする課題】
【０００９】
しかしながら、図７、図８に示す従来の光源装置では、以下のような問題があった。
図９は、図７、図８の光源装置において、封止部とワッシャとの関係を示すものであり、ワッシャが封止部に挿通された状態における封止部の断面とワッシャの関係図である。
【００１０】
従来のワッシャ５は、図９に示すように、中心に貫通孔５０を有し、外周縁５ａと内周縁５ｂが同一中心点の円形になっている。
封止部１１は、シュリンクシールによって封止された構造であり、封止部１１の外周面１１ａは略円形になっている。
そして、ワッシャ５の貫通孔５０の内径は封止部１１との勘合度を考慮し、封止部１１の外径よりもやや大きめに設計されている。
【００１１】
この結果、封止部１１にワッシャ５を挿通した状態で、ランプ１を水平にして凹面反射鏡の首部２１に挿入配置すると、図９に示すように、ワッシャ５が自重によって下方に下がり、封止部１１の上方と1点（Ｐ）で接触した状態になる。
【００１２】
次に、上記図９に示す状態の封止部とワッシャとの関係において、接着剤を充填した時の模式図を図１０に示す。
図１０では、封止部１１とワッシャ５をランプの光軸と直交する方向から見た平面図であり、接着剤は省略している。
図９に示すように、接着剤を充填すると、封止部１１の上部Ｐ点で、封止部１１とワッシャ３が接触しており、封止部１１の下部とワッシャ５が接触していないため、充填された接着剤が封止部１１の下方に位置するワッシャ５を図面の右側に押し圧することになり、ワッシャ５はＰ点を支点として反時計周りに傾くことになる。
このワッシャの傾きは、光軸Ｘに対してθ２となる。
【００１３】
この結果、封止部１１にワッシャ５を挿入しても、接着剤が均一に充填されない状態となり、封止部１１の周りに接着剤が不均一に充填されるため、振動・衝撃が光源装置に加わると、接着剤によって固定されている封止部１１が折れるという問題があった。
【００１４】
この発明が解決しようとする課題は、上記従来技術の問題点に鑑みて、封止部の周りに接着剤を均一に充填することができ、振動・衝撃が光源装置に加わっても、凹面反射鏡、又は、ベースに接着剤によって固着された封止部が破損することがない光源装置を提供するものである。
【課題を解決するための手段】
【００１５】
上記課題を解決するために、請求項１に記載の光源装置は、ショートアーク型高圧水銀ランプと、この高圧水銀ランプを取り囲む凹面反射鏡と、よりなる光源装置において、前記高圧水銀ランプは、外周面が円形の一方の封止部が前記凹面反射鏡の首部内部に挿入された状態において当該首部内部に接着剤を充填して保持されるものであり、前記首部の内部には、貫通孔が形成された接着剤漏洩防止用ワッシャが配置されており、当該貫通孔に前記一方の封止部が挿通され、前記接着剤漏洩防止用ワッシャの貫通孔の内周縁と、前記一方の封止部の外周面は、２点以上の箇所で、摩擦抵抗を有するように点接触していることを特徴とする。
【００１６】
請求項２に記載の光源装置は、ショートアーク型高圧水銀ランプと、この高圧水銀ランプを取り囲む凹面反射鏡と、凹面反射鏡の首部に取り付けられる絶縁性材料よりなるベースとよりなる光源装置において、前記高圧水銀ランプは、外周面が円形の一方の封止部が前記ベースの内部挿入された状態において当該ベース内に接着剤を充填して保持されるものであり、前記ベースの内部には、ことを特徴とする。
【発明の効果】
【００１７】
本発明によれば、ショートアーク型高圧水銀ランプの外周面が円形の一方の封止部が凹面反射鏡の首部内部に挿入された状態において、当該首部内に接着剤が充填され、首部の内部には、貫通孔が形成された接着剤漏洩防止用ワッシャが配置されており、当該貫通孔に前記一方の封止部が挿通され、前記接着剤漏洩防止用ワッシャの貫通孔の内周縁と、前記一方の封止部の外周面は、２点以上の箇所で、摩擦抵抗を有するように点接触しているので、封止部の周りに接着剤を均一に充填することができ、振動・衝撃が光源装置に加わっても、凹面反射鏡に接着剤によって固着された封止部が破損することがないものである。
【００１８】
本発明によれば、ショートアーク型高圧水銀ランプの外周面が円形の一方の封止部が凹面反射鏡の首部に取り付けられたベース内部に挿入された状態において、当該ベース内に接着剤が充填され、ベース内部には、貫通孔が形成された接着剤漏洩防止用ワッシャが配置されており、当該貫通孔に前記一方の封止部が挿通され、前記接着剤漏洩防止用ワッシャの貫通孔の内周縁と、前記一方の封止部の外周面は、２点以上の箇所で、摩擦抵抗を有するように点接触している、封止部の周りに接着剤を均一に充填することができ、振動・衝撃が光源装置に加わっても、ベースに接着剤によって固着された封止部が破損することがないものである。
【図面の簡単な説明】
【００１９】
【図１】本発明の光源装置の説明図である。
【図２】本発明の光源装置の説明図である。
【図３】本発明の光源装置に利用される接着剤漏洩防止用ワッシャの平面図である。
【図４】図３に示す接着剤漏洩防止用ワッシャと封止部との関係を示す説明である。
【図５】図３に示す接着剤漏洩防止用ワッシャと封止部との関係を示す説明である。
【図６】本願発明の光源装置において、封止部とワッシャをランプの光軸と直交する方向から見た平面図である。
【図７】従来の光源装置の説明図である。
【図８】従来の光源装置の説明図である。
【図９】従来の光源装置の接着剤漏洩防止用ワッシャと封止部との関係を示す説明である。
【図１０】従来の光源装置において、封止部とワッシャをランプの光軸と直交する方向から
【発明を実施するための形態】
【００２０】
図１は本願発明の光源装置の説明図である。
この光源装置は、ショートアーク型高圧水銀ランプ１（以下、ランプ１とも呼ぶ）が凹面反射鏡２に組み込まれて構成されており、凹面反射鏡２の中心軸にランプ１の光軸が一致するように配置されている。凹面反射鏡２の頂部には首部２１が設けられ、首部２１の内部にランプ１の封止部１１が挿入され、首部２１の内部に接着剤Ｓを充填して、ランプ１を凹面反射鏡２に固定している。
また、首部２１内であって、封止部１１に挿通された接着剤漏洩防止用ワッシャ３（以下、ワシャ３とも呼ぶ）が設けられている。
【００２１】
図２は、本願発明の光源装置の他の実施例の説明図である。
この光源装置は、ショートアーク型高圧水銀ランプ１（以下、ランプ１とも呼ぶ）が凹面反射鏡２に組み込まれて構成されており、凹面反射鏡２の中心軸にランプ１の光軸が一致するように配置されている。凹面反射鏡２の頂部には首部２１が設けられ、首部２１にベース４が接着によって取り付けられており、このベース４にランプ１が接着剤Ｓによって固着されている。
そして、ベース４内であって、封止部１１に挿通された接着剤漏洩防止用ワッシャ３（以下、ワシャ３とも呼ぶ）が設けられており、ベース４と封止部１１の間に接着剤Ｓが充填されている。
【００２２】
図３は、本願発明の光源装置に用いられる接着剤漏洩防止用ワッシャの平面図である。
図３では、（ａ）〜（ｅ）に示すように、５種類の接着剤漏洩防止用ワッシャを示すものである。
全てのワッシャ３は、内部に貫通孔３０を有し、外周縁３ａは円形になっている。
【００２３】
図３（ａ）に示すワッシャ３は、貫通孔３０を構成する内周縁３ｂが三角形になっている。
図３（ｂ）に示すワッシャ３は、貫通孔３０を構成する内周縁３ｂが四角形になっている。
図３（ｃ）に示すワッシャ３は、貫通孔３０を構成する内周縁３ｂが六角形になっている。
図３（ｄ）に示すワッシャ３は、貫通孔３０を構成する内周縁３ｂが八角形になっている。
図３（ｅ）に示すワッシャ３は、貫通孔３０を構成する内周縁３ｂは、貫通孔３０の中心に向かって広がる円弧が４つ連続して形成された形状になっている。
つまり、全てのワッシャ３の貫通孔３０を構成する内周縁３ｂは、非円形である。そして、この貫通孔３０に封止部１１が挿通されるものである。
この接着剤漏洩防止用ワッシャ３は、セラミックファイバー素線によって製造された紙状部材であり、厚みは１ｍｍである。
【００２４】
図４は、図３（ａ）に示す接着剤漏洩防止用ワッシャと封止部との関係を示すものであり、ワッシャが封止部に挿通された状態における封止部の断面とワッシャの関係図である。
封止部１１は、シュリンクシールによって封止された構造であり、封止部１１の外周面１１ａは略円形になっている。
ワッシャ３の貫通孔３０は、外周縁３ａは円形になっており、内周縁３ｂは三角形になっている。また、封止部１１が、この貫通孔３０に挿通された状態になっている。
【００２５】
そして、ワッシャ３は、封止部１１の外周において３点（Ｐ１、Ｐ２、Ｐ３）の接点を構成する貫通孔３０が形成され、貫通孔３０の内周縁３ｂは、封止部１１の外周面１１ａと、Ｐ１、Ｐ２、Ｐ３の３点で接触している。
【００２６】
図５は、図３（ａ）に示す接着剤漏洩防止用ワッシャと封止部との関係を示すものであり、ワッシャが封止部に挿通された状態における封止部の断面とワッシャの関係図である。
封止部１１は、シュリンクシールによって封止された構造であり、封止部１１の外周面１１ａは略円形になっているが、図４に示す封止部の外径より小さな外径を有するものである。
【００２７】
つまり、図５に示すワッシャと図４に示すワッシャは同一のものであっても、ワッシャ３は、封止部１１の外周において２点（Ｐ１、Ｐ２）の接点を構成する貫通孔３０が形成され、貫通孔３０の内周縁３ｂは、封止部１１の外周面１１ａとＰ１、Ｐ２の２点で接触している。
【００２８】
これは、封止部１１にワッシャ３を挿通した状態で、ランプ１を水平にして凹面反射鏡の首部内やベース内に挿入配置すると、図５に示すように、ワッシャ３が自重によって下方に下がり、封止部１１の左右の上方の２点（Ｐ１、Ｐ２）で接触した状態となるものである。
【００２９】
次に、上記図５に示す状態の封止部とワッシャとの関係において、接着剤を充填した時の模式図を図６に示す。
図６では、封止部１１とワッシャ３をランプの光軸と直交する方向から見た平面図であり、接着剤は省略している。
図６に示すように、接着剤を充填すると、封止部１１の下部とワッシャ３が接触していないが、封止部１１の上部２点（Ｐ１、Ｐ２）で、封止部１１とワッシャ３が接触しており、充填された接着剤が封止部１１の下方に位置するワッシャ３を図面の右側に押し圧することになり、ワッシャ３はＰ１、Ｐ２の２点を支点として反時計周りに傾くことになるが、封止部に対してワッシャが１点で接触している従来の場合と比較して、ワッシャ３と封止部１１の摩擦抵抗が大きくなり、ワッシャ３の傾きは、光軸Ｘに対してθ１となり、図１０に示すワッシャ３の傾きθ２より小さくできる。
【００３０】
この結果、接着剤を充填しても、封止部１１に対してワッシャ３の傾きを小さくでき、接着剤を封止部１１の周りに均一に充填することができ、振動・衝撃が光源装置に加わっても、接着剤によって固定されている封止部１１が破損することがない。
【００３１】
上記図４に示す状態の封止部とワッシャとの関係においては、ワッシャ３の貫通孔３０の内周縁３ｂは、封止部１１の外周面１１ａとＰ１、Ｐ２、Ｐ３の３点で接触しているので、ワッシャ３と封止部１１の摩擦抵抗が非常に大きくなり、封止部１１の周りに接着剤を充填しても、封止部１１に対してワッシャ３が傾くことがなく、接着剤を封止部１１の周りに略完全に均一に充填することができ、封止部１１の破損を確実に防止することができる。
【００３２】
図３（ｂ）〜（ｅ）に示すワッシャ３も、封止部１１の外周において２点以上の接点を構成する貫通孔３０が形成されたものであり、封止部に対してワッシャが１点で接触している従来の場合と比較して、ワッシャと封止部の摩擦抵抗が大きくなり、ワッシャの傾きを従来と比較して小さくできる。
よって、封止部の周りに接着剤を充填しても、封止部に対してワッシャの傾きを小さくでき、或いは、ワッシャが傾くことがなく、接着剤を封止部の周りに均一に充填することができ、封止部の破損を確実に防止することができる。
【符号の説明】
【００３３】
１          ショートアーク型放電ランプ
１１        封止部
１１ａ      封止部の外周面
２          凹面反射鏡
３          ワッシャ
３０        貫通孔
３ａ        ワッシャの外周縁
３ｂ        ワッシャの内周縁
４          ベース
Ｐ１        接点
Ｐ２        接点
Ｐ３        接点
Ｓ          接着剤
【図１】
0005652267.tif 000002
【図２】
0005652267.tif 000003
【図３】
0005652267.tif 000004
【図４】
0005652267.tif 000005
【図５】
0005652267.tif 000006
【図６】
0005652267.tif 000007
【図７】
0005652267.tif 000008
【図８】
0005652267.tif 000009
【図９】
0005652267.tif 000010
【図１０】
0005652267.tif 000011